(57)【要約】【課題】映像コンテンツの表示内容にかかわらず適した映像を表示すること。【解決手段】表示制御装置は、入力される映像コンテンツごとのピーク輝度として設定された１つのピーク輝度情報に基づいて映像コンテンツの表示階調特性を設定する第１階調制御処理と、入力される映像コンテンツにおいて所定の期間ごとのピーク輝度として設定された複数のピーク輝度情報のそれぞれに基づいて所定の期間ごとの映像コンテンツの表示階調特性をそれぞれ設定する第２階調制御処理と、のいずれか一方の処理を所定の条件に基づいて実行する階調制御部を備える。【選択図】図１
2019213144.tif 000002
【特許請求の範囲】
【請求項１】
入力される映像コンテンツごとのピーク輝度として設定された１つのピーク輝度情報に基づいて前記映像コンテンツの表示階調特性を設定する第１階調制御処理と、入力される映像コンテンツにおいて所定の期間ごとのピーク輝度として設定された複数のピーク輝度情報のそれぞれに基づいて前記所定の期間ごとの前記映像コンテンツの表示階調特性をそれぞれ設定する第２階調制御処理と、のいずれか一方の処理を所定の条件に基づいて実行する階調制御部、
を備える表示制御装置。
【請求項２】
前記階調制御部は、
入力される映像コンテンツごとのピーク輝度として設定された１つのピーク輝度情報と、入力される映像コンテンツにおいて所定の期間ごとのピーク輝度として設定された複数のピーク輝度情報のそれぞれとに基づいて、前記所定の期間ごとの前記映像コンテンツの表示階調特性をそれぞれ設定する第３階調制御処理を、さらに前記所定の条件に基づいて実行する、
請求項１に記載の表示制御装置。
【請求項３】
前記所定の条件は、前記映像コンテンツが字幕ありで表示されるか否かに基づく条件である、
請求項１に記載の表示制御装置。
【請求項４】
前記所定の条件は、前記映像コンテンツのジャンルに基づく条件である、
請求項１または請求項２に記載の表示制御装置。
【請求項５】
前記所定の条件は、ユーザの選択に基づく条件である、
請求項１または請求項２に記載の表示制御装置。
【請求項６】
前記所定の条件は、前記映像コンテンツが入力される入力端子を切替える入力切替に基づく条件である、
請求項１または請求項２に記載の表示制御装置。
【請求項７】
前記所定の条件は、前記ピーク輝度の値に基づく条件である、
請求項１または請求項２に記載の表示制御装置。
【請求項８】
請求項１から請求項５のいずれか一項に記載の表示制御装置と、
前記表示制御装置によって少なくとも表示階調特性が設定された映像コンテンツを表示する表示部と、
を備えた表示装置。
【請求項９】
請求項８に記載の表示装置、
を備えたテレビジョン。
【請求項１０】
表示制御装置における表示制御方法であって、
映像コンテンツの入力を受け付けるステップと、
入力される映像コンテンツごとのピーク輝度として設定された１つのピーク輝度情報に基づいて前記映像コンテンツの表示階調特性を設定する第１階調制御処理と、入力される映像コンテンツにおいて所定の期間ごとのピーク輝度として設定された複数のピーク輝度情報のそれぞれに基づいて前記所定の期間ごとの前記映像コンテンツの表示階調特性をそれぞれ設定する第２階調制御処理と、のいずれか一方の処理を所定の条件に基づいて実行するステップと、
を有する表示制御方法。
【発明の詳細な説明】
【技術分野】
【０００１】
本発明は、表示制御装置、表示装置、テレビジョン、及び表示制御方法に関する。
【背景技術】
【０００２】
ＨＤＲ（Ｈｉｇｈ  Ｄｙｎａｍｉｃ  Ｒａｎｇｅ）の映像コンテンツを表示させる場合に、コンテンツのピーク輝度と表示装置の表示可能なピーク輝度とが異なる場合があり、コンテンツのピーク輝度を示すピーク輝度情報を用いて、表示階調特性を調整する技術が開示されている（例えば、特許文献１）。
【０００３】
また、ＨＤＲ規格にはＤｏｌｂｙ  Ｖｉｓｉｏｎ、ＨＬＧ、ＨＤＲ１０とＨＤＲ１０＋などが存在している。例えば、ＨＤＲ１０の場合には、コンテンツごとにピーク輝度を示すピーク輝度情報（静的メタデータ）が１つだけ存在しており、映像シーンによっては（例えば、ピーク輝度情報が１００００ｃｄ／ｍ２（＝ｎｉｔ）のコンテンツでありながら、そのシーンのピーク輝度が１００００ｃｄ／ｍ２よりかなり低い場合）そのシーンには無い高階調領域まで無駄に再現させるために本来表示したい低階調領域を正確に表現できないことがある。それに対して、Ｄｏｌｂｙ  ＶｉｓｉｏｎやＨＤＲ１０＋の場合には、シーンごとにピーク輝度を示すピーク輝度情報（動的メタデータ）が存在するため、シーンごとのピーク輝度情報を用いることで、それぞれのシーンの映像に適した表示階調特性に設定することができる。
【先行技術文献】
【特許文献】
【０００４】
【特許文献１】特開２０１６−２１３８０９号公報
【発明の概要】
【発明が解決しようとする課題】
【０００５】
しかしながら、シーンごとのピーク輝度情報（動的メタデータ）を用いる場合には、シーンごとに適した表示階調特性とすることができる反面、シーンごとにピーク輝度情報が切り替わる為に、映画の映像コンテンツ等で白文字の字幕を表示している場合には、字幕の輝度が大きく切り替わりフラッシングのような現象が発生する可能性がある。
【０００６】
本発明は上記の点に鑑みてなされたものであり、映像コンテンツの表示内容にかかわらず適した映像を表示可能とする表示制御装置、表示装置、テレビジョン、及び表示制御方法を提供することを課題とする。
【課題を解決するための手段】
【０００７】
本発明は上記の課題を解決するためになされたものであり、本発明の一態様は、入力される映像コンテンツごとのピーク輝度として設定された１つのピーク輝度情報に基づいて前記映像コンテンツの表示階調特性を設定する第１階調制御処理と、入力される映像コンテンツにおいて所定の期間ごとのピーク輝度として設定された複数のピーク輝度情報のそれぞれに基づいて前記所定の期間ごとの前記映像コンテンツの表示階調特性をそれぞれ設定する第２階調制御処理と、のいずれか一方の処理を所定の条件に基づいて実行する階調制御部、を備える表示制御装置である。
【０００８】
また、本発明の一態様は、上記の表示制御装置と、前記表示制御装置によって少なくとも表示階調特性が設定された映像コンテンツを表示する表示部と、を備えた表示装置である。
【０００９】
また、本発明の一態様は、上記の表示装置、を備えたテレビジョンである。
【００１０】
また、本発明の一態様は、表示制御装置における表示制御方法であって、映像コンテンツの入力を受け付けるステップと、入力される映像コンテンツごとのピーク輝度として設定された１つのピーク輝度情報に基づいて前記映像コンテンツの表示階調特性を設定する第１階調制御処理と、入力される映像コンテンツにおいて所定の期間ごとのピーク輝度として設定された複数のピーク輝度情報のそれぞれに基づいて前記所定の期間ごとの前記映像コンテンツの表示階調特性をそれぞれ設定する第２階調制御処理と、のいずれか一方の処理を所定の条件に基づいて実行するステップと、を有する表示制御方法である。
【発明の効果】
【００１１】
本発明によれば、映像コンテンツの表示内容にかかわらず適した映像を表示できる。
【図面の簡単な説明】
【００１２】
【図１】静的メタデータ及び動的メタデータの違いを説明する模式図。
【図２】静的メタデータを用いた場合の表示階調特性の例を示す図。
【図３】動的メタデータを用いた場合の表示階調特性の例を示す図。
【図４】第１の実施形態に係る表示装置の構成の一例を示すブロック図。
【図５】第１の実施形態に係る表示階調制御処理の一例を示すフローチャート。
【図６】第２の実施形態に係る表示装置の構成の一例を示すブロック図。
【図７】第２の実施形態に係る表示階調制御処理の一例を示すフローチャート。
【図８】第３の実施形態に係る表示装置の構成の一例を示すブロック図。
【図９】第３の実施形態に係る表示階調制御処理の一例を示すフローチャート。
【図１０】第４の実施形態に係る表示装置の構成の一例を示すブロック図。
【図１１】第４の実施形態に係る表示階調制御処理の一例を示すフローチャート。
【図１２】第４の実施形態に係る表示階調制御処理の別の例を示すフローチャート。
【図１３】第５の実施形態に係るピーク輝度の算出方法を説明する模式図。
【図１４】第５の実施形態に係る表示階調制御処理の一例を示すフローチャート。
【図１５】第５の実施形態に係る表示階調制御処理の別の例を示すフローチャート。
【発明を実施するための形態】
【００１３】
以下、図面を参照して、本発明の実施形態について説明する。なお、各図において同一部分には同一符号を付している。
【００１４】
（本実施形態の概要）
まず、本実施形態に係る表示装置が実行するＨＤＲ（Ｈｉｇｈ  Ｄｙｎａｍｉｃ  Ｒａｎｇｅ）映像コンテンツの表示階調特性の制御の概要について説明する。ここで、ＨＤＲとは、映像コンテンツの輝度の高低の幅（ダイナミックレンジ）を拡大する高画質技術である。ＨＤＲは、ＳＤＲ（Ｓｔａｎｄａｒｄ  Ｄｙｎａｍｉｃ  Ｒａｇｅ）よりも、ダイナミックレンジが広く、映像コンテンツの輝度の上限が１００００ｃｄ／ｍ２までサポートされる。
【００１５】
ＨＤＲの映像コンテンツには、そのコンテンツのピーク輝度を示すピーク輝度情報がメタデータとして付加されている。例えば、Ｄｏｌｂｙ  Ｖｉｓｉｏｎ、ＨＤＲ１０、ＨＤＲ１０＋などのＨＤＲの規格では、ピーク輝度情報は、ＭａｘＣＬＬ（Ｍａｘｉｍｕｍ Ｃｏｎｔｅｎｔ Ｌｉｇｈｔ Ｌｅｖｅｌ）として規定されている。例えば、ＨＤＲ１０の規格では、コンテンツ全体でのピーク輝度を示すピーク輝度情報がコンテンツごとに１つだけ設定されている。このピーク輝度情報は、コンテンツごとに固定された情報であり、静的メタデータとも称する。一方、Ｄｏｌｂｙ  ＶｉｓｉｏｎやＨＤＲ１０＋の規格では、コンテンツの中のシーンごとのピーク輝度を示すピーク輝度情報がシーンごとに設定されている。このピーク輝度情報は、コンテンツ内のシーンごとに変動する情報であり、動的メタデータとも称する。ここで、シーンとは、映像コンテンツが所定の時間ごとに区切られた単位であり、例えば、映像信号の１フレームごとに区切られた単位である。なお、シーンは、１フレームに限られるものでなく、例えば、複数のフレームごとに区切られた単位であってもよいし、チャプターごとに区切られた単位であってもよい。
【００１６】
図１は、静的メタデータ及び動的メタデータの違いを説明する模式図である。この図において、横軸は時間、縦軸はコンテンツ輝度を示している。また、図示する例では、１つのコンテンツの中に、シーンが１〜１０まで含まれているとする。なお、シーンの数は、便宜的に示しているものであり、実際は映像コンテンツの長さ及びシーンの長さなどによって定まる。ピーク輝度ＭＳは、映像コンテンツ全体のピーク輝度（例えば、１００００ｃｄ／ｍ２）を示すピーク輝度情報であり、映像コンテンツに静的メタデータとして付加される。一方、複数のピーク輝度ＭＤ（ＭＤ１〜ＭＤ１０）は、映像コンテンツの中のシーンごとのピーク輝度を示すピーク輝度情報であり、映像コンテンツに動的メタデータとして付加される。例えば、シーン６のピーク輝度ＭＤ６は１００００ｃｄ／ｍ２、シーン８のピーク輝度ＭＤ８は３０００ｃｄ／ｍ２、シーン１０のピーク輝度ＭＤ１０は２０００ｃｄ／ｍ２である。
【００１７】
図２は、静的メタデータを用いた場合の表示階調特性の例を示す図である。この図において、横軸は映像コンテンツのコンテンツ輝度（即ち、表示装置への入力輝度）を示し、縦軸はＴＶ（テレビジョン、テレビ）輝度（即ち、表示装置の表示輝度、出力輝度）を示している。例えば、静的メタデータを用いた場合、コンテンツ全体（全シーン）において、ピーク輝度ＭＳが表示装置の最大輝度（ＭａｘＴＶ輝度）になるように表示階調特性が設定（トーンマッピング）される。
【００１８】
図３は、動的メタデータを用いた場合の表示階調特性の例を示す図である。図２と同様に、横軸は映像コンテンツのコンテンツ輝度（即ち、表示装置への入力輝度）を示し、縦軸はＴＶ（テレビ）輝度（即ち、表示装置の表示輝度、出力輝度）を示している。例えば、動的メタデータを用いた場合、シーンごとにそのシーンのピーク輝度ＭＤが表示装置の最大輝度（ＭａｘＴＶ輝度）になるように表示階調特性が設定（トーンマッピング）される。例えば、シーン６では、シーン６のピーク輝度ＭＤ６がＭａｘＴＶ輝度になるように変換される。また、シーン８では、シーン６のピーク輝度ＭＤ６よりも低いピーク輝度ＭＤ８が、同様にＭａｘＴＶ輝度になるように変換される。
【００１９】
このように、静的メタデータを用いた場合には、シーンによってピーク輝度が変動していても、常にコンテンツごとのピーク輝度ＭＳがＭａｘＴＶ輝度になるようにトーンマッピングされるため、ピーク輝度の低いシーンでは、そのシーンには無い高階調領域まで無駄に再現させるために本来表示したい低階調領域を正確に表現できないことがある。一方、動的メタデータを用いた場合には、シーンごとにピーク輝度ＭＤがＭａｘＴＶ輝度になるようにトーンマッピングされるため、ピーク輝度の低いシーンでも、そのシーンにある本来表示したい低階調領域を再現できる。
【００２０】
しかしながら、Ｕｌｔｒａ  ＨＤ Ｂｌｕ−ｒａｙ（登録商標）などで字幕（例えば、白文字）を表示させた場合には、動的メタデータを用いると、シーンごとのピーク輝度ＭＳが字幕を含まない映像部分のみの輝度で生成されているため、シーンごとにピーク輝度が変動するとそれに合わせて字幕のＴＶ輝度（例えば、白文字の輝度）も変動し、フラッシングのような現象が発生する可能性がある。そこで、本実施形態では、映像コンテンツに静的メタデータと動的メタデータとの両方が付加されている場合、静的メタデータと動的メタデータとを所定の条件で切り替えることにより、映像コンテンツの表示内容にかかわらず適した映像を表示できるように構成した。以下、本実施形態に係る表示装置の構成について、具体的に説明する。
【００２１】
（第１の実施形態）
図４は、第１の実施形態に係る表示装置１０の構成の一例を示すブロック図である。表示装置１０は、ＨＤＲの映像コンテンツのコンテンツ信号が入力されることにより、当該コンテンツ信号に含まれる映像信号に対して各種の画像処理を行い、画像処理後の映像コンテンツを表示する。例えば、表示装置１０は、放送波を介して入力される映像コンテンツやＨＤＭＩ（Ｈｉｇｈ Ｄｅｆｉｎｉｔｉｏｎ Ｍｕｌｔｉｍｅｄｉａ Ｉｎｔｅｒｆａｃｅ、登録商標）端子などの入力端子から入力される映像コンテンツを表示するテレビジョンである。なお、表示装置１０は、テレビジョン放送の入力には対応していなくてもよく、ＨＤＭＩ端子などの入力端子を介して入力される映像コンテンツのみを表示する表示装置（例えば、ＰＣ（Ｐｅｒｓｏｎａｌ Ｃｏｍｐｕｔｅｒ）用のモニターや映像評価用のマスターモニターなど）であってもよい。また、これらの表示装置は、多機能携帯電話機（いわゆる、スマートフォンを含む）、表示装置と一体として構成されたＰＣ（デスクトップ型ＰＣ、ラップトップ型ＰＣ、タブレット型ＰＣなどを含む）などであってもよい。なお、入力端子には、コンポジット映像端子、セパレート映像端子（Ｓ端子）、コンポーネント映像端子、Ｄ映像端子（Ｄ端子）などが含まれていてもよい。
【００２２】
例えば、表示装置１０は、映像入力部１１と、分離部１２と、ガンマ変換処理部１３と、表示部１４と、制御部１５とを備えている。なお、本図では、表示階調特性の制御に関係する構成のみを示しており、その他の処理についてはその説明を省略する。
【００２３】
映像入力部１１は、映像コンテンツが入力される入力端子を含んで構成されている。入力端子は、上述したようなＨＤＭＩ端子、コンポジット映像端子、セパレート映像端子（Ｓ端子）、コンポーネント映像端子、Ｄ映像端子（Ｄ端子）などである。また、映像入力部１１は、テレビジョン放送をアンテナで受信した受信信号が入力される入力端子を含んで構成されてもよい。映像入力部１１に入力された映像コンテンツのコンテンツ信号は、分離部１２へと送られる。なお、アテレビジョン放送をアンテナで受信した受信信号が入力された場合、受信信号を復調した後のコンテンツ信号が、分離部１２へと送られる。
【００２４】
分離部１２は、コンテンツ信号に含まれる映像信号とデータ信号とを分離する。なお、映像信号には音声信号が含まれてもよいが、ここでは音声に関する記載は省略する。分離部１２によって分離された映像信号は、ガンマ変換処理部１３に送られる。また、分離部１２によって分離されたデータ信号は、制御部１５に送られる。
【００２５】
ガンマ変換処理部１３は、制御部１５の制御により、静的メタデータと動的メタデータとのいずれかに基づいて映像信号の表示階調特性（ガンマ特性）を設定する処理行う。例えば、ガンマ変換処理部１３は、制御部１５の制御により静的メタデータを用いた処理が指示された場合、コンテンツ全体（全シーン）において、コンテンツごとに設定されたピーク輝度ＭＳに基づいて表示階調特性を設定（トーンマッピング）する。例えば、ガンマ変換処理部１３は、コンテンツ全体（全シーン）において、コンテンツごとに設定されたピーク輝度ＭＳが表示装置１０の最大輝度（ＭａｘＴＶ輝度）になるように表示階調特性を設定（トーンマッピング）してもよい。
【００２６】
一方、ガンマ変換処理部１３は、制御部１５の制御により、動的メタデータを用いた処理が指示された場合、各シーンにおいて、シーンごとに設定されたピーク輝度ＭＤに基づいて表示階調特性を設定（トーンマッピング）する。例えば、ガンマ変換処理部１３は、各シーンにおいて、シーンごとに設定されたピーク輝度ＭＤが表示装置１０の最大輝度（ＭａｘＴＶ輝度）になるように表示階調特性を設定（トーンマッピング）してもよい。そして、ガンマ変換処理部１３は、静的メタデータ又は動的メタデータに基づいて表示階調特性を設定した映像信号を表示部１４へ出力する。
【００２７】
なお、ガンマ変換処理部１３は、静的メタデータ又は動的メタデータに基づいて処理を行う際に、ピーク輝度ＭＳ又はピーク輝度ＭＤが表示装置１０の最大輝度（ＭａｘＴＶ輝度）とは異なる所定の輝度になるように表示階調特性を設定（トーンマッピング）してもよい。
【００２８】
表示部１４は、ガンマ変換処理部１３により表示階調特性が設定された映像信号に基づいて映像コンテンツを表示する。例えば、表示部１４は、液晶ディスプレイパネル、有機ＥＬ（ＥｌｅｃｔｒｏＬｕｍｉｎｅｓｃｅｎｃｅ）ディスプレイパネルなどを含んで構成されている。
【００２９】
制御部１５は、データ取得部１５１と、階調制御部１５２とを備えている。データ取得部１５１は、分離部１２により分離されたデータ信号から静的メタデータ及び動的メタデータを取得する。上述したように、静的メタデータは、コンテンツごとに１つだけ設定されたコンテンツ全体でのピーク輝度ＭＳを示すピーク輝度情報である。また、動的データは、コンテンツの中のシーンごとに設定されたシーンごとのピーク輝度ＭＤを示すピーク輝度情報である。
【００３０】
階調制御部１５２は、静的メタデータに基づいて映像コンテンツの表示階調特性を設定する静的表示階調制御処理を行うか、或いは、動的メタデータに基づいて映像コンテンツの表示階調特性を設定する動的表示階調制御処理を行うかをガンマ変換処理部１３へ指示する。つまり、階調制御部１５２は、ガンマ変換処理部１３が静的メタデータに基づいて映像信号の表示階調特性を設定するか、或いは動的メタデータに基づいて映像信号の表示階調特性を設定するかを切り替える。例えば、階調制御部１５２は、静的表示階調制御処理と動的表示階調制御処理とのいずれか一方の処理を所定の条件に基づいて実行する。
【００３１】
例えば、所定の条件とは、Ｕｌｔｒａ  ＨＤ Ｂｌｕ−ｒａｙ（登録商標）などの映像コンテンツが字幕ありで表示されるか否かに基づく条件である。例えば、表示装置１０で字幕の有り又は無しの選択をする操作が行われる場合には、制御部１５は、その操作情報（選択情報）を取得することにより、映像コンテンツが字幕ありで表示されるか否かの情報を取得して表示階調特性の処理を行ってもよい。また、入力される映像信号に字幕の表示有無を示す情報が付加されてもよく、その場合には、制御部１５は、その字幕の表示有無を示す情報を取得することにより、映像コンテンツが字幕ありで表示されるか否かの情報を取得して表示階調特性の処理を行ってもよい。
【００３２】
次に、図５を参照して、表示装置１０の制御部１５が実行する表示階調制御処理の動作について説明する。図５は、第１の実施形態に係る表示階調制御処理の一例を示すフローチャートである。
【００３３】
（ステップＳ１０１）表示装置１０に映像コンテンツが入力されると、ステップＳ１０３の処理に進む。
【００３４】
（ステップＳ１０３）制御部１５は、所定の条件を満たすか否かを判定する。例えば、制御部１５は、映像コンテンツの表示モードが字幕表示ありか否かを判定する。具体的には、制御部１５は、字幕の有り又は無しの選択をする操作に基づく操作情報（選択情報）を取得すること、或いは映像コンテンツから字幕ありで表示されるか否かの付加情報を取得することにより、字幕表示ありか否かを判定する。そして、制御部１５は、字幕表示ありと判定した場合（ＹＥＳ）、ステップＳ１０５の処理に進む。また、制御部１５は、字幕表示なしと判定した場合（ＮＯ）、ステップＳ１０７の処理に進む。
【００３５】
（ステップＳ１０５）制御部１５は、ステップＳ１０３において字幕表示ありと判定したため、静的メタデータに基づいて表示階調特性を設定する。
【００３６】
（ステップＳ１０７）制御部１５は、ステップＳ１０３において字幕表示なしと判定したため、動的メタデータに基づいて表示階調特性を設定する。
【００３７】
以上説明したように、本実施形態に係る表示装置１０は、入力される映像コンテンツごとのピーク輝度ＭＳとして設定された１つのピーク輝度情報に基づいて映像コンテンツの表示階調特性を設定する静的表示階調制御処理（第１階調制御処理）と、入力される映像コンテンツにおいてシーン（所定の期間の一例）ごとのピーク輝度ＭＤとして設定された複数のピーク輝度情報のそれぞれに基づいてシーンごとの映像コンテンツの表示階調特性をそれぞれ設定する動的表示階調制御処理（第２階調制御処理）と、のいずれか一方の処理を所定の条件に基づいて実行する。
【００３８】
これにより、表示装置１０は、所定の条件に応じて静的表示階調制御処理と動的表示階調制御処理を切り替えるため、映像コンテンツの表示内容にかかわらず適した映像を表示することができる。
【００３９】
例えば、所定の条件は、映像コンテンツが字幕ありで表示されるか否かに基づく条件である。
【００４０】
これにより、表示装置１０は、映像コンテンツが字幕なしで表示される場合には動的表示階調制御処理することにより低階調領域についても正確に再現できるとともに、映像コンテンツが字幕ありで表示される場合には静的表示階調制御処理とすることにより、字幕の輝度が大きく切り替わってしまうフラッシングのような現象が発生してしまうことを防止できる。
【００４１】
（第２の実施形態）
次に、本発明の第２の実施形態について説明する。
本実施形態では、入力された映像コンテンツに字幕が表示されているか否かを表示装置側で映像コンテンツから検出して表示階調制御処理を行う例を説明する。
【００４２】
図６は、第２の実施形態に係る表示装置１０Ａの構成の一例を示すブロック図である。表示装置１０Ａは、制御部１５Ａが字幕検出部１５３Ａを備える点と階調制御部１５２Ａが行う処理が異なる点とが図４に示す表示装置１０の構成と相違する。
【００４３】
字幕検出部１５３Ａは、分離部１２によって分離された映像信号に字幕が含まれているか否かを検出する。例えば、字幕検出部１５３Ａは、映像信号内に文字に相当する特定の輝度値の輝度パターンが含まれるか否かを検出することにより、映像コンテンツが字幕ありで表示されるか否かの情報を取得する。
【００４４】
階調制御部１５２Ａは、字幕検出部１５３Ａの検出結果に基づいて、静的表示階調制御処理と動的表示階調制御処理とのいずれか一方の処理を実行する。例えば、階調制御部１５２Ａは、字幕検出部１５３Ａにより映像信号に字幕が含まれていると検出された場合、静的メタデータに基づいて映像コンテンツの表示階調特性を設定する静的表示階調制御処理を行う指示をガンマ変換処理部１３へ行う。一方、階調制御部１５２Ａは、字幕検出部１５３Ａにより映像信号に字幕が含まれていないと検出された場合、動的メタデータに基づいて映像コンテンツの表示階調特性を設定する静的表示階調制御処理を行う指示をガンマ変換処理部１３へ行う。
【００４５】
図７は、第２の実施形態に係る表示階調制御処理の一例を示すフローチャートである。
【００４６】
（ステップＳ１０１）表示装置１０Ａに映像コンテンツが入力されると、ステップＳ１０２Ａの処理に進む。
【００４７】
（ステップＳ１０２Ａ）制御部１５Ａは、分離部１２によって分離された映像信号に字幕が含まれているか否かを検出する。そして、ステップＳ１０３Ａの処理に進む。
【００４８】
（ステップＳ１０３Ａ）制御部１５Ａは、ステップＳ１０２Ａにおける字幕検出部１５３Ａの検出結果に基づいて、字幕表示ありか否かを判定する。例えば、制御部１５Ａは、映像信号に字幕が含まれていることを検出した場合、字幕表示ありと判定し（ＹＥＳ）、ステップＳ１０５の処理に進む。また、制御部１５Ａは、映像信号に字幕が含まれていないことを検出した場合、字幕表示なしと判定し（ＮＯ）、ステップＳ１０７の処理に進む。
【００４９】
（ステップＳ１０５）制御部１５Ａは、ステップＳ１０３Ａにおいて字幕表示ありと判定したため、静的メタデータに基づいて表示階調特性を設定する。
【００５０】
（ステップＳ１０７）制御部１５Ａは、ステップＳ１０３Ａにおいて字幕表示なしと判定したため、動的メタデータに基づいて表示階調特性を設定する。
【００５１】
このように、本実施形態に係る表示装置１０Ａは、入力された映像コンテンツに字幕が表示されているか否かを検出することにより、静的メタデータを用いた静的表示階調制御処理（第１階調制御処理）と動的メタデータを用いた動的表示階調制御処理（第２階調制御処理）とのいずれか一方の処理を字幕表示の有無に基づいて実行する。
【００５２】
これにより、表示装置１０Ａは、映像コンテンツが字幕なしで表示される場合には動的表示階調制御処理することにより低階調領域についても再現できるとともに、映像コンテンツが字幕ありで表示される場合には静的表示階調制御処理とすることにより、字幕の輝度が大きく切り替わってしまうフラッシングのような現象が発生してしまうことを防止できる。また、本実施形態によれば、表示装置１０Ａに入力された映像コンテンツの映像信号から字幕の有無を検出するため、一般的に放送される映像コンテンツについても字幕があるか否かに基づいて静的メタデータを用いた静的表示階調制御処理と動的メタデータを用いた動的表示階調制御処理とを切り替えることができる。
【００５３】
（第３の実施形態）
次に、本発明の第３の実施形態について説明する。
本実施形態では、入力された映像コンテンツのジャンルに基づいて表示階調制御処理を行う例を説明する。
【００５４】
図８は、第３の実施形態に係る表示装置１０Ｂの構成の一例を示すブロック図である。表示装置１０Ｂは、制御部１５Ｂを備え、映像コンテンツのジャンルに基づいて表示階調制御処理を行う。具体的には、制御部１５Ｂは、データ取得部１５１Ｂと、階調制御部１５２Ｂとを備えている。
【００５５】
データ取得部１５１Ｂは、分離部１２により分離されたデータ信号からピーク輝度情報についての静的メタデータ及び動的メタデータを取得するとともに、映像コンテンツのジャンルを示すジャンルデータも取得する。例えば、ジャンルデータは、ＨＤＭＩ規格ではＥＤＩＤ（Ｅｘｔｅｎｄｅｄ Ｄｉｓｐｌａｙ Ｉｄｅｎｔｉｆｉｃａｔｉｏｎ Ｄａｔａ）に含まれている。なお、データ取得部１５１Ｂは、地上デジタル放送などでは、地上デジタル放送の放送波に含まれているコンテンツ情報からジャンルデータを取得してもよいし、ＥＰＧ（Ｅｌｅｃｔｒｏｎｉｃ  Ｐｒｏｇｒａｍ  Ｇｕｉｄｅ）からジャンルデータを取得してもよい。
【００５６】
階調制御部１５２Ｂは、データ取得部１５１Ｂが取得したジャンルデータに基づいて、静的表示階調制御処理と動的表示階調制御処理とのいずれか一方の処理を実行する。例えば、階調制御部１５２Ｂは、入力された映像コンテンツのジャンルがスポーツ番組又はニュース番組である場合、静的メタデータに基づいて映像コンテンツの表示階調特性を設定する静的表示階調制御処理を行う指示をガンマ変換処理部１３へ行う。一方、階調制御部１５２Ｂは、入力された映像コンテンツのジャンルが映画又は静止画である場合、動的メタデータに基づいて映像コンテンツの表示階調特性を設定する動的表示階調制御処理を行う指示をガンマ変換処理部１３へ行う。なお、ジャンルといずれの処理を行うかとの対応関係は、表示装置１０に予め設定されていてもよいし、ユーザの操作に応じて任意に設定（変更）できるようにしてもよい。
【００５７】
図９は、第３の実施形態に係る表示階調制御処理の一例を示すフローチャートである。
（ステップＳ１０１）表示装置１０Ｂに映像コンテンツが入力されると、ステップＳ１０２Ｂの処理に進む。
【００５８】
（ステップＳ１０２Ｂ）制御部１５Ｂは、分離部１２によって分離されたデータ信号からジャンルデータを取得する。そして、ステップＳ１０３Ｂの処理に進む。
【００５９】
（ステップＳ１０３Ｂ）制御部１５Ｂは、ステップＳ１０２Ｂにおいて取得したジャンルデータに基づいて、入力された映像コンテンツのジャンルを判別する。例えば、制御部１５Ｂは、入力された映像コンテンツのジャンルがスポーツ番組又はニュース番組である場合、ステップＳ１０５の処理に進む。また、制御部１５Ｂは、入力された映像コンテンツのジャンルが映画又は静止画である場合、ステップＳ１０７の処理に進む。
【００６０】
（ステップＳ１０５）制御部１５Ｂは、スポーツ番組又はニュース番組の映像コンテンツには、静的メタデータに基づいて表示階調特性を設定する。
【００６１】
（ステップＳ１０７）制御部１５Ｂは、映画又は静止画の映像コンテンツには、動的メタデータに基づいて表示階調特性を設定する。
【００６２】
このように、本実施形態に係る表示装置１０Ｂは、入力された映像コンテンツのジャンルに基づいて、静的メタデータを用いた静的表示階調制御処理（第１階調制御処理）と動的メタデータを用いた動的表示階調制御処理（第２階調制御処理）とのいずれか一方の処理を実行する。
【００６３】
これにより、表示装置１０Ｂは、映像コンテンツのジャンルによって適した表示階調制御制御を行うことができる。例えば、表示装置１０Ｂは、スポーツ番組又はニュース番組などのように一定の環境で製作された映像では特に低階調領域に偏った映像が少ないため、静的メタデータに基づいて表示階調特性を設定することにより、表示階調特性を固定して視聴することができる。一方、表示装置１０Ｂは、映画又は静止画のようにピーク輝度の低いシーンがある可能性の高い映像コンテンツの場合には、動的メタデータに基づいて表示階調特性を設定することにより、そのシーンにある本来表示したい低階調領域を再現することができる。
【００６４】
なお、ここでは、ジャンルの一例として、スポーツ番組、ニュース番組、映画、及び静止画を例に説明したが、ジャンルの種類は、これらに限られるものではなく、他のジャンルについても、静的表示階調制御処理と動的表示階調制御処理とのいずれか一方の処理を行う判断基準として用いてもよい。
【００６５】
（第４の実施形態）
次に、本発明の第４の実施形態について説明する。
本実施形態では、ユーザの選択に基づいて表示階調制御処理を行う例を説明する。
【００６６】
図１０は、第４の実施形態に係る表示装置１０Ｃの構成の一例を示すブロック図である。表示装置１０Ｃは、制御部１５Ｃがメニュー生成部１５４Ｃと、操作入力部１５５Ｃと、メニュー項目設定部１５６Ｃとを備える点と、階調制御部１５２Ｃが行う処理が異なる点とが図４に示す表示装置１０の構成と相違する。
【００６７】
メニュー生成部１５４Ｃは、表示装置１０の各種設定を行うための設定項目と、その設定項目で選択可能な選択肢とが表示されるメニュー画面を生成する。生成されたメニュー画面は、ガンマ変換処理部１３により表示階調特性が設定された後の映像信号に重畳され、表示部１４に表示される。例えば、メニュー生成部１５４Ｃは、操作部２０に対するユーザの操作に基づいてメニュー画面を生成する。
【００６８】
操作部２０は、表示装置１０に対する操作を受け付ける操作機器である。例えば、操作部２０は、表面に設けられた操作ボタンに対するユーザの操作に基づく操作信号を赤外線信号で出力するリモートコントローラ（リモコン）である。なお、操作部２０は、赤外線信号に限らず、各種の近距離通信を用いて表示装置１０に操作信号を送信してもよい。また、操作部２０は、表示装置１０に備えられた操作ボタンであってもよい。
【００６９】
操作入力部１５５Ｃには、操作部２０に対するユーザの操作に基づく操作信号が入力される。例えば、メニュー画面に表示された設定項目及び選択肢を選択するユーザの操作が操作部２０に対して行われると、当該操作に基づく操作信号が操作部２０から操作入力部１５５Ｃに入力される。操作入力部１５５Ｃは、入力された操作信号に基づく操作内容を示す情報を、メニュー項目設定部１５６Ｃに受け渡す。
【００７０】
メニュー項目設定部１５６Ｃは、操作入力部１５５Ｃから取得した操作内容を示す情報に基づいて、メニュー画面で設定可能な各種の設定項目についてユーザが選択した選択肢に設定する。
【００７１】
例えば、メニュー生成部１５４Ｃは、表示階調特性の設定項目として、静的メタデータを用いた表示階調特性と動的メタデータを用いた表示階調特性とのいずれか一方を選択可能な選択肢が表示されるメニュー画面を生成して、表示部１４に表示させる。そして、ユーザが静的メタデータを用いた表示階調特性と動的メタデータを用いた表示階調特性とのいずれかを選択する操作を操作部２０に対して行うと、当該操作に基づく操作信号が操作入力部１５５Ｃ入力される。操作入力部１５５Ｃは、入力された操作信号に基づく操作内容を示す情報を、メニュー項目設定部１５６Ｃに受け渡す。メニュー項目設定部１５６Ｃは、操作入力部１５５Ｃから取得した操作内容を示す情報に基づいて、静的メタデータを用いた表示階調特性と動的メタデータを用いた表示階調特性とのうち、ユーザにより選択された表示階調特性による制御処理に設定し、設定情報を階調制御部１５２Ｃに受け渡す。
【００７２】
階調制御部１５２Ｃは、メニュー項目設定部１５６Ｃより設定された設定情報を参照し、ユーザの選択に基づいて、静的表示階調制御処理と動的表示階調制御処理とのいずれか一方の処理を実行する。例えば、階調制御部１５２Ｂは、静的メタデータを用いた表示階調特性がユーザにより選択された場合、静的メタデータに基づいて映像コンテンツの表示階調特性を設定する静的表示階調制御処理を行う指示をガンマ変換処理部１３へ行う。一方、階調制御部１５２Ｂは、動的メタデータを用いた表示階調特性がユーザにより選択された場合、動的メタデータに基づいて映像コンテンツの表示階調特性を設定する動的表示階調制御処理を行う指示をガンマ変換処理部１３へ行う。
【００７３】
図１１は、第４の実施形態に係る表示階調制御処理の一例を示すフローチャートである。
（ステップＳ１０１）表示装置１０Ｃに映像コンテンツが入力されると、ステップＳ１０３Ｃの処理に進む。
【００７４】
（ステップＳ１０３Ｃ）制御部１５Ｃは、メニュー画面に対するユーザの操作により設定された設定情報を参照し、ユーザによる設定が静的メタデータを用いた表示階調特性であるか、或いは動的メタデータを用いた表示階調特性であるかを判定する。ユーザによる設定が静的メタデータを用いた表示階調特性である場合、制御部１５Ｃは、ステップＳ１０５の処理に進む。一方、ユーザによる設定が動的メタデータを用いた表示階調特性である場合、制御部１５Ｃは、ステップＳ１０７の処理に進む。
【００７５】
（ステップＳ１０５）制御部１５Ｃは，ユーザの選択に基づいて、静的メタデータに基づいて表示階調特性を設定する。
【００７６】
（ステップＳ１０７）
制御部１５Ｃは、ユーザの選択に基づいて、動的メタデータに基づいて表示階調特性を設定する。
【００７７】
このように、本実施形態に係る表示装置１０Ｃは、ユーザの選択に基づいて静的メタデータに基づいて表示階調特性と動的メタデータに基づいて表示階調特性とを切り替えることができるため、ユーザの好みで表示階調特性を選択することができる。例えば、ユーザは、製作者の意図通りに表示させたい場合（マスターモニター的な使用用途で用いる場合）、静的メタデータを用いた表示階調特性を選択することにより可能となる。
【００７８】
なお、本実施形態では、静的メタデータを用いた表示階調特性と動的メタデータを用いた表示階調特性とをユーザが選択可能な例を説明したが、表示装置１０Ｃは、ＰＣからの映像コンテンツの入力時に、静的メタデータを用いた表示階調特性に制御してもよい。例えば、ユーザにより映像コンテンツの入力切替が「ＰＣ入力」に設定されている場合に、表示装置１０Ｃは、静的メタデータを用いた表示階調特性に制御してもよい。映像コンテンツの入力切替とは、表示装置１０の映像入力部１１に設けられている複数の入力端子のうち、映像コンテンツを表示する入力端子を選択することをいう。例えば、映像コンテンツの入力切替は、上述したメニュー画面における設定項目の一つとしてユーザが選択可能である。
【００７９】
図１２は、第４の実施形態に係る表示階調制御処理の別の例として、入力切替の選択に基づく表示階調制御処理の一例を示すフローチャートである。
（ステップＳ１０１）表示装置１０Ｃに映像コンテンツが入力されると、ステップＳ１０３Ｃの処理に進む。
【００８０】
（ステップＳ１０３Ｃ）制御部１５Ｃは、メニュー画面に対するユーザの操作により設定された設定情報を参照し、映像コンテンツの入力切替が「ＰＣ入力」に設定されているか否かを判定する。入力切替が「ＰＣ入力」に設定されている場合（ＹＥＳ）、制御部１５Ｃは、ステップＳ１０５の処理に進む。一方、入力切替が「ＰＣ入力」以外に設定されている場合（ＮＯ）、制御部１５Ｃは、ステップＳ１０７の処理に進む。
【００８１】
（ステップＳ１０５）制御部１５Ｃは，ＰＣから入力された映像コンテンツを表示するため、静的メタデータに基づいて表示階調特性を設定する。
【００８２】
（ステップＳ１０７）
制御部１５Ｃは、ＰＣ以外から入力された映像コンテンツを表示するため、動的メタデータに基づいて表示階調特性を設定する。
【００８３】
これにより、表示装置１０Ｃは、ＰＣからの映像コンテンツの場合には、静的メタデータに基づいて表示階調特性を設定することにより、表示階調特性を固定して視聴することができる。
【００８４】
なお、制御部１５Ｃは、ＰＣ以外から入力された映像コンテンツを表示する場合には、第１〜第３の実施形態で説明した構成のように、字幕の有無や映像コンテンツのジャンルに基づいて、さらに静的メタデータに基づいて表示階調特性を設定するか、或いは、動的メタデータに基づいて表示階調特性を設定するかを切替えてもよい。
【００８５】
（第５の実施形態）
次に、本発明の第５の実施形態について説明する。
本実施形態では、入力される映像コンテンツのピーク輝度の値に基づいて表示階調制御処理を行う例を説明する。なお、本実施形態に係る表示装置の構成は、図４に示す表示装置１０の構成、図６に示す表示装置１０Ａの構成、図８に示す表示装置１０Ｃの構成、及び図１０に示す表示装置１０Ｃの構成のいずれも適用できる。
【００８６】
例えば、表示装置１０は、入力される映像コンテンツのピーク輝度の最大値が所定の輝度（例えば、１０００ｃｄ／ｍ２）未満の場合、シーンごとの輝度の変動（輝度差）が少ないため、例え字幕が表示されてもフラッシングのような現象が発生しにくいため、動的メタデータを用いた表示階調特性に設定してもよい。ここで、映像コンテンツのピーク輝度の最大値とは、図１に示すコンテンツごとのピーク輝度ＭＳ、又はシーンごとのピーク輝度ＭＳのうちの最大値である。
【００８７】
具体的には、表示装置１０の階調制御部１５２は、静的表示階調制御処理と動的表示階調制御処理とのいずれか一方の処理を映像コンテンツのピーク輝度の値に基づいて実行する。例えば、階調制御部１５２は、データ取得部１５１が取得した静的メタデータ又は動的メタデータに基づいて、入力される映像コンテンツのピーク輝度の最大値が所定の輝度（例えば、１０００ｃｄ／ｍ２）未満の場合、動的メタデータに基づいて映像コンテンツの表示階調特性を設定する動的表示階調制御処理を実行する。なお、階調制御部１５２は、入力される映像コンテンツのピーク輝度の最大値が所定の輝度（例えば、１０００ｃｄ／ｍ２）以上の場合には、第１の実施形態で説明したように、字幕表示の有無に基づいて、静的表示階調制御処理と動的表示階調制御処理とのいずれか一方の処理を実行してもよい。
【００８８】
また、階調制御部１５２は、入力される映像コンテンツごとのピーク輝度ＭＳ（静的メタデータ）と、映像コンテンツにおいてシーンごとのピーク輝度ＭＤ（動的メタデータ）のそれぞれとに基づいて、シーンごとの映像コンテンツの表示階調特性をそれぞれ設定する表示階調制御処理（第３階調制御処理）を実行してもよい。例えば、階調制御部１５２は、入力される映像コンテンツのピーク輝度の値が第１の輝度（例えば、１０００ｃｄ／ｍ２）以上、且つ第２の輝度（例えば、４０００ｃｄ／ｍ２）以下の場合、各シーンのピーク輝度を、映像コンテンツごとのピーク輝度ＭＳ（静的メタデータ）とシーンごとのピーク輝度ＭＤ（動的メタデータ）との間の値（例えば、平均値）としてもよい。
【００８９】
図１３は、第５の実施形態に係るピーク輝度の算出方法を説明する模式図であり、各シーンのピーク輝度を、静的メタデータと動的メタデータとの平均値とする例を説明する図である。この図において、横軸は時間、縦軸はコンテンツ輝度を示している。また、図示する例では、１つのコンテンツの中に、シーンが１〜１０まで含まれているとする。なお、シーンの数は、便宜的に示しているものであり、実際は映像コンテンツの長さ及びシーンの長さなどによって定まる。
【００９０】
図示する例では、映像コンテンツ全体（映像コンテンツごと）のピーク輝度ＭＳは、４０００ｃｄ／ｍ２である。また、シーンごとのピーク輝度ＭＤ（ＭＤ１〜ＭＤ１０）は、シーン６のピーク輝度ＭＤ６が４０００ｃｄ／ｍ２で最大であり、シーン１０のピーク輝度ＭＤ１０が１０００ｃｄ／ｍ２で最小である。この場合、映像コンテンツのシーンごとのピーク輝度ＭＳが第１の輝度（例えば、１０００ｃｄ／ｍ２）以上、且つ第２の輝度（例えば、４０００ｃｄ／ｍ２）以下であるため、階調制御部１５２は、各シーンのピーク輝度ＭＶ（ＭＶ１〜ＭＶ１０）を、静的メタデータと動的メタデータとの平均値「（ピーク輝度ＭＳ＋ピーク輝度ＭＤ）÷２」として算出する。例えば、シーン４のピーク輝度ＭＶ４は、「（コンテンツ全体のピーク輝度ＭＳ（４０００ｃｄ／ｍ２）＋シーン４のピーク輝度ＭＤ４（３０００ｃｄ／ｍ２））÷２」から３５０００ｃｄ／ｍ２と算出される。
【００９１】
例えば、階調制御部１５２は、算出した各シーンのピーク輝度ＭＶに基づいて、シーンごとに表示階調特性を設定（トーンマッピング）する。例えば、階調制御部１５２は、算出した各シーンのピーク輝度ＭＶが、表示装置１０の最大輝度（ＭａｘＴＶ輝度）になるように表示階調特性を設定（トーンマッピング）する。
【００９２】
このように、例えば、映像コンテンツのピーク輝度が第１の輝度（例えば、１０００ｃｄ／ｍ２）以上、且つ第２の輝度（例えば、４０００ｃｄ／ｍ２）以下の場合、階調制御部１５２は、シーンごとに静的メタデータ（ピーク輝度ＭＳ）と動的メタデータ（ピーク輝度ＭＤ）との平均値を算出し、その算出した平均値に基づいてシーンごとに表示階調特性を動的に設定（トーンマッピング）する。これにより、映像コンテンツに字幕表示がされた場合でも、フラッシングの発生を抑制しつつ、シーンごとの輝度に応じた表示階調特性に動的に設定することができる。なお、上述の第１の輝度と第２の輝度は、シーンごとに動的に表示階調特性を制御することにより多少字幕の輝度が変動したとしても、フラッシングを感じない程度の値として予め設定された値である。
【００９３】
図１４は、第５の実施形態に係る表示階調制御処理の一例を示すフローチャートである。
（ステップＳ２０１）表示装置１０に映像コンテンツが入力されると、ステップＳ１０３の処理に進む。
【００９４】
（ステップＳ２０３）制御部１５は、映像コンテンツのデータ信号から取得した静的メタデータ又は動的メタデータに基づいて、ピーク輝度が１０００ｃｄ／ｍ２未満のコンテンツであるか否かを判定する。例えば、制御部１５は、ピーク輝度が１０００ｃｄ／ｍ２未満のコンテンツであると判定した場合（ＹＥＳ）、ステップＳ２１５の処理に進み、動的メタデータに基づいて表示階調特性を設定する。一方、制御部１５は、ピーク輝度が１０００ｃｄ／ｍ２以上のコンテンツであると判定した場合（ＮＯ）、ステップＳ２０５の処理に進む。
【００９５】
（ステップＳ２０５）制御部１５は、映像コンテンツのデータ信号から取得した静的メタデータ又は動的メタデータに基づいて、ピーク輝度が１０００ｃｄ／ｍ２以上４０００ｃｄ／ｍ２以下のコンテンツであるか否かを判定する。例えば、制御部１５は、ピーク輝度が１０００ｃｄ／ｍ２以上４０００ｃｄ／ｍ２以下のコンテンツであると判定した場合（ＹＥＳ）、ステップＳ２０７の処理に進む。一方、制御部１５は、ピーク輝度が１０００ｃｄ／ｍ２以上４０００ｃｄ／ｍ２以下のコンテンツではないと判定した場合（ＮＯ）、ステップＳ２１１の処理に進む。
【００９６】
（ステップＳ２０７）制御部１５は、静的メタデータと動的メタデータの平均値に基づいて表示階調特性を設定する。例えば、制御部１５は、シーンごとに静的メタデータ（ピーク輝度ＭＳ）と動的メタデータ（ピーク輝度ＭＤ）との平均値を算出し、その算出した平均値に基づいてシーンごとに表示階調特性を動的に設定（トーンマッピング）する。
【００９７】
（ステップＳ２１１）制御部１５は、入力された映像コンテンツの表示モードが字幕表示ありか否かを判定する。例えば、制御部１５は、字幕表示ありと判定した場合（ＹＥＳ）、ステップＳ２１３の処理に進む。また、制御部１５は、字幕表示なしと判定した場合（ＮＯ）、ステップＳ２１５の処理に進む。
【００９８】
（ステップＳ２１３）制御部１５は、ステップＳ２１１において字幕表示ありと判定したため、静的メタデータに基づいて表示階調特性を設定する。
【００９９】
（ステップＳ２１５）
制御部１５は、ステップＳ２１１において字幕表示なしと判定したため、動的メタデータに基づいて表示階調特性を設定する。
【０１００】
以上説明したように、本実施形態に係る表示装置１０は、映像コンテンツのピーク輝度に基づいて、静的表示階調制御処理と動的表示階調制御処理を切り替えるため、ピーク輝度に応じて適した映像を表示することができる。例えば、映像コンテンツのピーク輝度が１０００ｃｄ／ｍ２未満のように低い場合、シーンごとの輝度差が少なく、例え字幕が表示されてもフラッシングのような現象が発生しにくいため、動的メタデータを用いた表示階調特性に設定することにより、低階調領域の映像を正確に再現して表示することができる。
【０１０１】
また、本実施形態に係る表示装置１０は、静的メタデータと動的メタデータのそれぞれとに基づいて、シーンごとの映像コンテンツの表示階調特性をそれぞれ設定する。例えば、表示装置１０は、シーンごとに静的メタデータ（ピーク輝度ＭＳ）と動的メタデータ（ピーク輝度ＭＤ）との平均値を算出し、その算出した平均値に基づいてシーンごとに表示階調特性を動的に設定（トーンマッピング）する。これにより、表示装置１０は、映像コンテンツに字幕表示がされた場合でも、フラッシングの発生を抑制しつつ、シーンごとの輝度に応じた表示階調特性に動的に設定することができる。
【０１０２】
また、本実施形態に係る表示階調制御処理を図８に示す表示装置１０Ｂに適用することにより、映像コンテンツのジャンルを判定要素に加えてもよい。
図１５は、第５の実施形態に係る表示階調制御処理の別の例を示すフローチャートである。この図において、図１４の各処理に対応する処理には同一の符号を付しており、ステップＳ２０９の処理が追加されたことが異なる。同一の符号を付した処理において、表示装置１０Ｂの制御部１５Ｂは、図１４を参照して説明した制御部１５の処理と基本的には同様の処理を行う。ここでは、ステップＳ２０９の処理に関連する部分についてのみ説明する。
【０１０３】
（ステップＳ２０５）制御部１５Ｂは、ピーク輝度が１０００ｃｄ／ｍ２以上４０００ｃｄ／ｍ２以下のコンテンツではないと判定した場合（ＮＯ）、ステップＳ２１１の処理ではなく、ステップＳ２０９の処理に進む。
【０１０４】
（ステップＳ２０９）制御部１５Ｂは、映像コンテンツから分離されたデータ信号から取得したジャンルデータに基づいて、入力された映像コンテンツのジャンルを判別する。例えば、制御部１５Ｂは、入力された映像コンテンツのジャンルがスポーツ番組又はニュース番組である場合、ステップＳ２１３の処理に進む。また、制御部１５Ｂは、入力された映像コンテンツのジャンルが映画又は静止画である場合、ステップＳ２１１の処理に進む。
【０１０５】
（ステップＳ２１１）制御部１５は、入力された映像コンテンツの表示モードが字幕表示ありか否かを判定する。例えば、制御部１５は、字幕表示ありと判定した場合（ＹＥＳ）、ステップＳ２１３の処理に進む。また、制御部１５は、字幕表示なしと判定した場合（ＮＯ）、ステップＳ２１５の処理に進む。
【０１０６】
（ステップＳ２１３）制御部１５は、ステップＳ２１１において字幕表示ありと判定したため、静的メタデータに基づいて表示階調特性を設定する。
【０１０７】
（ステップＳ２１５）制御部１５は、ステップＳ２１１において字幕表示なしと判定したため、動的メタデータに基づいて表示階調特性を設定する。
【０１０８】
このように、ピーク輝度が１０００ｃｄ／ｍ２未満のコンテンツではなく、且つピーク輝度が１０００ｃｄ／ｍ２以上４０００ｃｄ／ｍ２以下のコンテンツでもない場合、表示装置１０Ｂは、まず、映像コンテンツのジャンルを判定し、スポーツ番組又はニュース番組の場合には静的メタデータに基づいて表示階調特性を設定してもよい。また、表示装置１０Ｂは、ジャンルが映画又は静止画の映像コンテンツであった場合には、字幕表示の有無を判定し、字幕表示がある場合には静的メタデータに基づいて表示階調特性を設定し、字幕表示がない場合には動的メタデータに基づいて表示階調特性を設定してもよい。つまり、ジャンルよりも字幕のフラッシングを発生させないようにすることを優先してもよい。
【０１０９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１１０】
例えば、上記実施形態では、ＨＤＲの映像コンテンツの表示階調特性の制御を説明したが、ＨＤＲに限られるものではなく、静的メタデータと動的メタデータを有する映像コンテンツであれば、さまざまな映像コンテンツに適用することができる。
【０１１１】
また、上記実施形態において、映像コンテンツが字幕ありで表示されるか否かに基づいて静的メタデータを用いて表示階調特性を設定するか、或いは動的メタデータを用いて表示階調特性を設定するかを判定する例を説明したが、字幕ありで表示される場合に、さらに字幕の輝度に基づいて上記判定を行ってもよい。例えば、字幕の輝度が低い場合にはフラッシングのような現象が発生しにくい場合があるため、字幕の輝度が所定の輝度より高い場合には静的メタデータを用いて表示階調特性を設定し、字幕ありで表示される場合でも字幕の輝度が所定の輝度以下の場合には動的メタデータを用いて表示階調特性を設定してもよい。なお、字幕の輝度を示す情報は、映像コンテンツにメタデータとして付加されてもよいし、映像信号から字幕の輝度を検出することにより取得される構成としてもよい。
【０１１２】
なお、上述した実施形態における表示装置１０（１０Ａ，１０Ｂ，１０Ｃ）の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、表示装置１０（１０Ａ，１０Ｂ，１０Ｃ）に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１１３】
また、表示装置１０（１０Ａ，１０Ｂ，１０Ｃ）の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の表示装置１０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１１４】
また、上記実施形態では、表示部１４を備えた表示装置１０（１０Ａ，１０Ｂ，１０Ｃ）の構成例を説明したが、各構成において表示部１４が備えられていない表示制御装置として構成としてもよい。例えば、表示制御装置は、入力された映像コンテンツに対して表示階調特性を制御した後、外部に接続される表示部に表示させる構成として、少なくとも映像入力部１１と、分離部１２と、ガンマ変換処理部１３と、制御部１５（１５Ａ，１５Ｂ，１５Ｃ）とを備えた構成としてもよい。具体的には、上記表示制御装置は、例えば、映像コンテンツの再生が可能なハードディスクレコーダ、Ｕｌｔｒａ  ＨＤ Ｂｌｕ−ｒａｙ（登録商標）プレイヤーやＤＶＤプレイヤーなど、又はそれらを組み合わせた電子機器である。
【符号の説明】
【０１１５】
１０（１０Ａ，１０Ｂ，１０Ｃ）  表示装置、１１  映像入力部、１２  分離部、１３ガンマ変換処理部、１４  表示部、１５（１５Ａ，１５Ｂ，１５Ｃ）  制御部、１５１（１５１Ｂ）  データ取得部、１５２（１５２Ａ，１５２Ｂ，１５２Ｃ）  階調制御部、１５３Ａ  字幕検出部、１５４Ｃ  メニュー生成部、１５５Ｃ  操作入力部、１５６Ｃ  メニュー項目設定部
【図１】
2019213144.tif 000003
【図２】
2019213144.tif 000004
【図３】
2019213144.tif 000005
【図４】
2019213144.tif 000006
【図５】
2019213144.tif 000007
【図６】
2019213144.tif 000008
【図７】
2019213144.tif 000009
【図８】
2019213144.tif 000010
【図９】
2019213144.tif 000011
【図１０】
2019213144.tif 000012
【図１１】
2019213144.tif 000013
【図１２】
2019213144.tif 000014
【図１３】
2019213144.tif 000015
【図１４】
2019213144.tif 000016
【図１５】
2019213144.tif 000017